(57)【特許請求の範囲】
【請求項１】
蓄熱体を備えこの蓄熱体に対する排ガス及び燃焼用空気の流れを相対的に切り替えることによって該蓄熱体を通して燃焼用空気の供給と排ガスの排出とを交互に行い排ガスの温度に近い高温の燃焼用空気を供給して燃焼させ炉内に火炎を噴出させる複数のバーナスロートを設け、前記各バーナスロートに分配される燃焼用空気の噴射速度を各バーナスロート毎に調整可能として、各バーナスロート毎には空気不足あるいは空気過剰の空気比となり全体としては適正空気比となる量の燃焼用空気を前記バーナスロートに供給し、各バーナスロートごとに異なる空気比で燃焼させ、炉内に酸化性、弱酸化性あるいは無酸化性などといった性状の異なる複数の雰囲気を部分的に形成しつつ全体としては適正空気比で完全燃焼させることを特徴とする蓄熱型バーナシステム。
【請求項２】
燃焼用空気のみを供給する場合を含めて空気過剰で燃焼させるバーナスロートと空気不足で燃焼させるバーナスロートとを各々設け、被加熱物の周りではいずれか一方の雰囲気を形成することを特徴とする請求項１記載の蓄熱型バーナシステム。
【請求項３】
蓄熱体を備えこの蓄熱体に対する排ガス及び燃焼用空気の流れを相対的に切り替えることによって該蓄熱体を通して燃焼用空気の供給と排ガスの排出とを交互に行い排ガスの温度に近い高温の燃焼用空気を供給して燃焼させ炉内に火炎を噴出させる複数のバーナスロートを設け、各バーナスロート毎には空気不足あるいは空気過剰の空気比となり全体としては適正空気比となる量の燃焼用空気を前記バーナスロートに供給し、各バーナスロートごとに異なる空気比で燃焼させ、燃焼用空気のみを供給する場合を含めて空気過剰で燃焼させるバーナスロートと空気不足で燃焼させるバーナスロートとを各々設け、炉内に酸化性、弱酸化性あるいは無酸化性などといった性状の異なる複数の雰囲気を部分的に形成しつつ全体としては適正空気比で完全燃焼させ、被加熱物の周りでは無酸化雰囲気あるいは酸化雰囲気のうち前記被加熱物に適した雰囲気に制御することを特徴とする蓄熱型バーナシステム。
【請求項４】
前記各バーナスロートに分配される燃焼用空気の噴射速度を各バーナスロート毎に調整可能としたことを特徴とする請求項３記載の蓄熱型バーナシステム。
【請求項５】
前記被加熱物を被う雰囲気の周りで全体として均一な空気比となったときにアフターバーニングを起こし完全燃焼させ、前記被加熱物の周りの雰囲気を乱さずに、当該完全燃焼の際の燃焼熱をふく射によって被加熱物に与えることを特徴とする請求項２から４のいずれか１つに記載の蓄熱型バーナシステム。
【請求項６】
前記複数のバーナスロートに単一の空気供給系を接続して、全体としては適正空気比となる量の燃焼用空気を各バーナスロートに分配して供給し、各バーナスロート毎に異なる空気比とすることを特徴とする請求項１から５のいずれか１つに記載の蓄熱型バーナシステム。
【請求項７】
各々独立した空気供給系を有する複数のバーナシステムによって前記複数のバーナスロートが形成され、前記各バーナに供給される燃焼用空気の総量と燃料の総量とが適正空気比となる範囲で、各バーナ毎に異なる空気比とすることを特徴とする請求項１から５のいずれか１つに記載の蓄熱型バーナシステム。
【請求項８】
前記各バーナスロート毎に噴射される燃料量を一定にして前記各バーナスロートごとに異なる量の燃焼用空気が分配されることを特徴とする請求項６または７記載の蓄熱型バーナシステム。
【請求項９】
前記各バーナスロート毎に独立して制御可能な空気量調整手段を備え、前記各バーナスロートの通路面積を互いに異なる値に設定して当該バーナスロート内を流れる燃焼用空気の量を制御することによってバーナスロート毎に空気比を変えることを特徴とする請求項８記載の蓄熱型バーナシステム。
【請求項１０】
前記各バーナスロート毎に分配される空気量を一定にして前記各バーナスロート毎の燃料噴射ノズルから噴射される燃料の量を互いに異なる値に設定して空気比をバーナスロート毎に異ならせることを特徴とする請求項６または７記載の蓄熱型バーナシステム。
【請求項１１】
前記各バーナスロートに供給される燃料と燃焼用空気がそれぞれ各バーナスロート毎に制御されて各バーナスロート毎に異なる空気比に設定可能とされていることを特徴とする請求項６または７記載の蓄熱型バーナシステム。
【請求項１２】
各バーナスロートから噴出させる火炎及び燃焼ガスによって形成される雰囲気が炉内の被加熱物から離れた所で交差するように各バーナスロートの噴射軸を交差させて設置し、被加熱物から離れた処でアフターバーニングゾーンを形成して完全燃焼させることを特徴とする請求項１から１１のいずれかに記載の蓄熱型バーナシステム。
【請求項１３】
全体として適正空気比の燃焼用空気を複数のバーナスロートに分配して１つのバーナで空気過剰燃焼と空気不足燃焼とを形成する蓄熱型バーナシステムと、空気過剰で燃焼させる蓄熱型バーナシステムと、空気不足で燃焼させる蓄熱型バーナシステムとをそれぞれ少なくとも１組以上組み合わせることを特徴とする請求項１または３記載の蓄熱型バーナシステム。
【請求項１４】
バーナを対にして該バーナを短時間に交互に交換燃焼させることを特徴とする請求項１から１３のいずれかに記載の蓄熱型バーナシステム。
【発明の詳細な説明】
【０００１】
【産業上の利用分野】
本発明は、蓄熱体に排ガスと燃焼用空気とを交互に通して排ガス温度に近い高温の燃焼用空気を得、これを使って燃焼させる蓄熱型バーナシステムに関する。更に詳述すると、本発明は、炉内の被加熱物に応じて、全体として完全燃焼しながら炉内雰囲気を部分的に酸素不足領域又は酸素過剰領域に設定することが可能な蓄熱型バーナシステムに関する。
【０００２】
【従来の技術】
従来のこの種の蓄熱型バーナシステムとしては、例えば図１０に示すように、蓄熱体が直結された２台で一組のバーナ１０３の給気系と排気系とを組み合わせて、これらを交互に燃焼させると共に炉内での被加熱物１１１の加熱に使われた後の燃焼ガスを焚かれていない方のバーナ１０３のバーナスロート１０５を通って排出し、そのときの排ガスの熱を蓄熱器１０９に回収させて次の燃焼用空気の予熱に用いるシステムが提案されている。
【０００３】
この蓄熱型バーナシステム１００の各バーナ１０３は、バーナタイルで形成された単一のバーナスロート１０５内へ蓄熱体１０９を通過して高温に予熱された燃焼用空気と燃料ノズル１０７から噴射される燃料とを噴出させ、安定火炎を形成するように設けられている。
【０００４】
【発明が解決しようとする課題】
したがって、従来の蓄熱型バーナシステム１００においては、単一の性状の火炎及び燃焼ガスから成る雰囲気を１組のバーナ１０３，１０３で交互に形成して炉１０１内の被加熱物１１１を加熱することとなる。
【０００５】
しかしながら、炉１０１としては、被加熱物１１１に応じて、炉内を無酸化雰囲気あるいは酸化雰囲気若しくは弱酸化雰囲気に調整することができると都合が良い場合がある。その一方で、公害問題を考慮すると、適正空気比で燃料を完全燃焼させる必要がある。しかしながら、単一の性状の火炎で炉１０１内の雰囲気を形成する従来のバーナシステム１００では、これらの要請をともに高レベルで両立させること、即ち完全燃焼させて尚かつ無酸化雰囲気とすることは実用上困難であった。例えば、鉄鋼加熱炉などではスケールロスを少なくするため、還元燃焼炎を利用した無酸化直接加熱とすることが望まれるが、還元燃焼炎を形成するため完全燃焼できずに発煙などを引き起こす問題がある。
【０００６】
本発明は、全体としては適正空気比による完全燃焼を可能とし、部分的無酸化炉内雰囲気や酸化炉内雰囲気を形成できる蓄熱型バーナシステムを提供することを目的とする。
【０００７】
【課題を解決するための手段】
かかる目的を達成するため、請求項１記載の蓄熱型バーナシステムは、蓄熱体を備えこの蓄熱体に対する排ガス及び燃焼用空気の流れを相対的に切り替えることによって蓄熱体を通して燃焼用空気の供給と排ガスの排出とを交互に行い排ガスの温度に近い高温の燃焼用空気を供給して燃焼させ炉内に火炎を噴出させる複数のバーナスロートを設け、各バーナスロートに分配される燃焼用空気の噴射速度を各バーナスロート毎に調整可能として、各バーナスロート毎には空気不足あるいは空気過剰の空気比となり全体としては適正空気比となる量の燃焼用空気をバーナスロートに供給し、各バーナスロートごとに異なる空気比で燃焼させ、炉内に酸化性、弱酸化性あるいは無酸化性などといった性状の異なる複数の雰囲気を部分的に形成しつつ全体としては適正空気比で完全燃焼するようにしている。
また、請求項３記載の蓄熱型バーナシステムは、蓄熱体を備えこの蓄熱体に対する排ガス及び燃焼用空気の流れを相対的に切り替えることによって該蓄熱体を通して燃焼用空気の供給と排ガスの排出とを交互に行い排ガスの温度に近い高温の燃焼用空気を供給して燃焼させ炉内に火炎を噴出させる複数のバーナスロートを設け、各バーナスロート毎には空気不足あるいは空気過剰の空気比となり全体としては適正空気比となる量の燃焼用空気を前記バーナスロートに供給し、各バーナスロートごとに異なる空気比で燃焼させ、燃焼用空気のみを供給する場合を含めて空気過剰で燃焼させるバーナスロートと空気不足で燃焼させるバーナスロートとを各々設け、炉内に酸化性、弱酸化性あるいは無酸化性などといった性状の異なる複数の雰囲気を部分的に形成しつつ全体としては適正空気比で完全燃焼させ、被加熱物の周りでは無酸化雰囲気あるいは酸化雰囲気のうち前記被加熱物に適した雰囲気に制御するようにしている。
【０００８】
ここで、複数の各バーナスロートは、請求項６の発明のように複数のバーナスロートに単一の空気供給系を接続して、全体としては適正空気比となる量の燃焼用空気を各バーナスロートに分配して供給し、各バーナスロート毎に異なる空気比としても良いし、あるいは請求項７の発明のように各々独立した空気供給系を有する複数のバーナシステムによって複数のバーナスロートが形成され、各バーナに供給される燃焼用空気の総量と燃料の総量とが適正空気比となる範囲で、各バーナ毎に異なる空気比としても良い。
【０００９】
また、請求項６または７記載の発明において、各バーナスロート毎に異なる空気比を設定する手段としては、例えば各バーナスロート毎に噴射される燃料量を一定にして各バーナスロートごとに異なる量の燃焼用空気が分配されること、あるいは各バーナスロート毎に独立して制御可能な空気量調整手段を備え、各バーナスロートの通路面積を互いに異なる値に設定して当該バーナスロート内を流れる燃焼用空気の量を制御すること、若しくは各バーナスロート毎に分配される空気量を一定にして各バーナスロート毎の燃料噴射ノズルから噴射される燃料の量を互いに異なる値に設定すること、更には各バーナスロートに供給される燃料と燃焼用空気がそれぞれ各バーナスロート毎に制御されて各バーナスロート毎に異なる空気比に設定可能とされていることが望ましい。
【００１０】
また、請求項２，３の蓄熱型バーナシステムは、空気過剰燃焼と空気不足燃焼となるバーナスロートを各々設け、被加熱物の周りではいずれか一方の雰囲気を形成して、更に請求項５記載の発明ではその周りで全体として均一な空気比となったときにアフターバーニングを起こし完全燃焼させ、被加熱物の周りの雰囲気を乱さずに、当該完全燃焼の際の燃焼熱をふく射によって被加熱物に与えるようにしている。
【００１１】
また、請求項１２の蓄熱型バーナシステムは、各バーナスロートから噴出させる火炎及び燃焼ガスによって形成される雰囲気が炉内の被加熱物から離れた所で交差するように各バーナスロートの噴射軸を交差させて設置し、被加熱物から離れた処でアフターバーニングゾーンを形成して完全燃焼させるようにしている。
【００１２】
また、請求項１，４の蓄熱型バーナシステムは、各バーナスロートに分配される燃焼用空気の噴射速度を各バーナスロート毎に調整可能としている。
【００１３】
また、請求項１３の蓄熱型バーナシステムは、全体として適正空気比の燃焼用空気を複数のバーナスロートに分配して１つのバーナで空気過剰燃焼と空気不足燃焼とを形成する蓄熱型バーナシステムと、空気過剰で燃焼させる蓄熱型バーナシステムと、空気不足で燃焼させる蓄熱型バーナシステムとをそれぞれ少なくとも１組以上組み合わせるようにしている。
【００１４】
更に、請求項１４の蓄熱型バーナシステムは、バーナを対にして該バーナを短時間に交互に交換燃焼させるようにしている。
【００１５】
【作用】
したがって、請求項１，３の蓄熱型バーナシステムの場合、蓄熱体を通過することによって高温に予熱された燃焼用空気は、複数のバーナスロートに分配され全体しては適正空気比であるが各バーナスロート毎には異なる空気比に設定される。そこで、各バーナスロート毎に異なる空気比で燃焼した火炎が炉内へ噴射される。そして、空気比に応じて酸素不足の無酸化雰囲気や酸素過剰の酸化雰囲気が炉内に各々形成される濃淡燃焼を起こす。このとき、炉内排ガス温度に近い高温に予熱された燃焼用空気を用いて燃焼するため、反応速度の増大や可燃限界の大幅な拡大が燃焼の安定化に大きく寄与すると期待され、通常燃焼であれば種々の困難が生じる可能性の高い極端なレベルでの希薄燃焼や過濃燃焼であっても容易に実現できる。更に、炉内では無酸化雰囲気の周りの酸化雰囲気と接触する部分でアフターバーニングを起こし、全体として適正空気比の完全燃焼を起こす。そして、アフターバーニングで生じた熱だけがふく射によって被加熱物に与えられ、燃焼ガスは他の燃焼ガスともども炉外へ蓄熱体を通って排出される。そして、蓄熱体では排ガスの熱が回収され、燃焼用空気の予熱に備えられる。また、請求項１の蓄熱型バーナシステムの場合、各バーナスロート内の燃焼用空気の流速を変化させると、この流速の変化に応じてバーナスロート内に発生する火炎の勢いが変化し、アフターバーニングゾーンを炉内で移動させることができる。また、請求項３の蓄熱型バーナシステムの場合、被加熱物を無酸化雰囲気あるいは酸化雰囲気のいずれかで被うことができる。
【００１６】
ここで、請求項６並びに７記載の発明の場合、１つの空気供給系から供給される高温の予熱された燃焼用空気を各バーナスロートに分配するようにしているので、１箇所で供給空気量の制御を行うだけで各バーナスロート毎に異なる空気比に設定しても全体としては適正空気比を維持できる。
【００１７】
そして、請求項８の発明では、各バーナスロートに分配される燃焼用空気の流量の割合を決定するだけで、決定された割合の値に応じて各バーナスロート毎に異なる空気比が設定される。
【００１８】
また請求項９の発明では、バーナスロート毎に流路面積を調整でき、空気過剰燃焼あるいは空気不足燃焼を起こすバーナスロートを自由に切り替えることができる。
【００１９】
また請求項１０の発明では、各バーナスロートに分配される燃焼用空気の量は一定で、バーナスロート内に噴射される燃料量を変化させるだけで、全体としての空気比を適正に保ったまま各バーナスロート毎に空気比を自由に設定できる。
【００２０】
また請求項１１の発明では、各バーナスロート毎に分配される燃焼用空気の量と燃料の量とを制御することによって、より安定な状態で所望の空気比の燃焼を実現できる。
【００２１】
また、請求項７の発明では、互いに独立した複数のバーナ毎に燃焼量制御が行われ、場合によっては一部のバーナだけを作動させ得る。
【００２２】
また、請求項２，３の発明では、被加熱物を無酸化雰囲気あるいは酸化雰囲気のいずれかで被うことができると共に、更に、請求項５の発明ではその雰囲気のまわりで起こる完全燃焼による熱をふく射で被加熱物に与えるため加熱効率を落とさずに特定雰囲気下での加熱を実現できる。
【００２３】
また、請求項１２の発明では、空気不足の燃焼によって形成された雰囲気と空気過剰の燃焼によって形成された雰囲気とが確実に炉内で混じり合ってアフターバーニングを起こさせる。しかも、それは、被加熱物を覆う雰囲気の外あるいはその周辺で起こり、被加熱物の周りの雰囲気成分を変えることがない。
【００２４】
また、請求項１，４の発明では、各空気比制御手段が各バーナスロート内の燃焼用空気の流速を変化させると、この流速の変化に応じてバーナスロート内に発生する火炎の勢いが変化し、アフターバーニングゾーンを炉内で移動させることができる。
【００２５】
更に、請求項１３の発明では、個々のバーナシステム毎に燃焼を制御すれば足りるので、燃焼制御が容易である。
【００２６】
更に、請求項１４の発明では、一対のバーナが交互に燃焼することによって炉内非定在火炎が形成され、被加熱物がより均一に加熱される。
【００２７】
【実施例】
以下、本発明の構成を図面に示す実施例に基づいて詳細に説明する。
【００２８】
図１及び図２に本発明の蓄熱型バーナシステムの一実施例を示す。このバーナシステム１は、それぞれ蓄熱体９を有し交互に燃焼する一対のバーナ３，３を流路切替手段２１を介して空気供給系１７あるいは排気系２５に選択的に接続して、一方のバーナ３を燃焼させている間に他方のバーナ３から被加熱物５７の加熱に使った後の燃焼ガスを排気させるようにして成る。各バーナ３，３は、例えば炉７の両側壁に互いに向き合って据え付けられており、交互に作動する。なお、各バーナ３，３は必ずしも対向させて炉７の両側壁に別々に配置する必要はなく、例えば炉７の一方の壁に並べて配置しても良い。
【００２９】
蓄熱体９は、例えば、比較的圧力損失が低い割りに熱容量が大きく、かつ耐久性の高い材料（例えば、ファインセラミックス）をハニカム形状の筒形に成形したものが採用され、バーナボディあるいはこれと別体のケーシングなどに収められてバーナ３に組み込まれている。この蓄熱体９は、通過する排ガスとの間で熱交換を行い廃熱を回収すると共に回収した熱で燃焼用空気を予熱する。各バーナ３の蓄熱体９，９は、ダクト１５，１５を介して四方弁２１のポート２１ａ，２１ｂに接続されている。また、四方弁２１の他のポート２１ｃ，２１ｄには、空気供給系１７のダクト２３及び排気系のダクト２５がそれぞれ接続されている。したがって、この四方弁２１を切り替えることで、各バーナ３，３並びに蓄熱体９，９のうち何れか一方は空気供給系１７に、何れか他方は排気系にそれぞれ選択的に接続される。
【００３０】
各バーナ３，３には、複数本例えば３本のバーナスロート１１，１１，１１が設けられている。各バーナスロート１１，１１，１１は、蓄熱体９付近で１本となるように先端側が分岐して並列的に延び、炉７内にそれぞれ開口するように設けられている。各バーナスロート１１，１１，１１は、互いに同一の通路面積に設定されている。したがって、各バーナスロート１１，１１，１１に対して、単一の空気供給系１７からは、互いに同量の燃焼用空気が供給される。
【００３１】
また、各バーナスロート１１，１１，１１毎に、このバーナスロート１１内に向けて燃料を噴射する燃料ノズル１３，１３，１３が取り付けられている。一方の炉壁に設けられたバーナ３の各燃料ノズル１３は燃料パイプ２７を介して、他方の炉壁に設けられたバーナ３の各燃料ノズル１３，１３，１３は燃料パイプ２９を介して、それぞれ燃料供給系３１に接続されている。各燃料パイプ２７，２９の途中には、制御弁３３，３５がそれぞれ設けられている。各制御弁３３，３５は、四方弁２１の切替に連動して交互に開閉し、燃焼用空気が供給される側のバーナ３の各バーナスロート１１，１１，１１の燃料ノズル１３，１３，１３からのみ噴射される。そして、噴射された燃料は、各バーナスロート１１，１１，１１内を流れる燃焼用空気と混合され、炉７内に噴出されて燃焼する。
【００３２】
一方、各バーナスロート１１，１１，１１には、図示していないが各燃料ノズル１３，１３，１３から噴射される燃料に着火可能な位置にパイロットバーナが取り付けられている。
【００３３】
空気供給系１７と燃料供給系３１は、全体として適正空気比となる量の燃焼用空気、燃料を各バーナ３に供給し、バーナ３全体としては完全燃焼する適正空気比に設定されている。一方、各バーナスロート１１，１１，１１には空気比制御機構５，５，５がそれぞれ設けられ、各バーナスロート１１，１１，１１毎に異なる空気比に設定される。
【００３４】
空気比制御機構５は、例えば図２に詳しく示すように、バーナスロート１１内に挿入されて燃焼用空気の流量を調整する流量調節板３７、調節板駆動手段３９及び制御スイッチ手段４１等より構成されている。各流量調節板３７は各バーナスロート１１の所定位置に開口された各スリット４３に対向して配置され、図示しない支持機構により長手方向にスライド可能に支持されている。各流量調節板３７のスライド量は、例えば図示しないストッパにより制限される。したがって、各流量調節板３７は、図中実線で示すように、ハウジング４５内に完全に退いた状態から、図中２点鎖線で示す所定位置にまでバーナスロート１１内に突出することができる。この突出量は駆動手段３９の制御によって任意に設定される。バーナスロート１１の流路面積は、流量調節板３７の突出量に応じて変化する。また、流量調節板３７の基端側半部には、ラック４７が設けられている。なお、スリット４３と流量調節板３７との間は、シール部材４９が配置されて気密にシールされている。
【００３５】
調節板駆動手段３９は、例えば、ピニオン５１、ウォームギヤ５３及びステッピングモータ５５等より構成され、バーナスロート１１に固定されたハウジング４５内に収容されている。ピニオン５１は、ハウジング４５に回転自在に取り付けられており、流量調節板３７のラック４７に噛み合っている。また、ウォームギヤ５３は、ステッピングモータ５５の出力軸５５ａに相対回転不能に嵌め込まれ、ピニオン５１に噛み合っている。したがって、ステッピングモータ５５の出力軸５５ａが一方向に回転した場合、この回転がウォームギヤ５３及びピニオン５１を介してラック４７に伝達され、流量調節板３７がバーナスロート１１内に繰り出される。一方、ステッピングモータ５５の出力軸５５ａが他方向に回転した場合、ウォームギヤ５３及びピニオン５１が上述の場合と逆方向に回転して流量調節板３７をバーナスロート１１内からハウジング４５内に引き込む。
【００３６】
制御スイッチ手段４１は、各ステッピングモータ５５に電気的に接続されており、これらのステッピングモータ５５を別々に作動させることができる。つまり、作業者が制御スイッチ手段４１を操作すると、この操作に応じた制御信号が任意のステッピングモータ５５に出力される。そして、制御信号を受けたステッピングモータ５５は、この制御信号に応じて出力軸５５ａを所望の方向に所望の回転数だけ回転させる。
【００３７】
なお、本実施例においては、ピニオン５１、ウォームギヤ５３及びステッピングモータ５５を備えて調節板駆動手段３９を構成したがこれに限るものではなく、調節板駆動手段３９としては、別構造の回転力伝達機構を介してステッピングモータ５５の回転をラック４７に伝達する構成としても良く、また、これとは別に、例えば空気供給系１７で発生した圧力を駆動源として流量調節板３７をスライドさせる構成としても良い。
【００３８】
また、本実施例においては、各ステッピングモータ５５に電気的に接続された制御スイッチ手段４１を備えて空気比制御機構５を構成したがこれに限るものはなく、制御スイッチ手段４１に代えて、マイクロコンピュータ制御で各ステッピングモータ５５を別々に自動的に操作する構成としても良い。
【００３９】
このバーナシステム１では、空気比制御機構５が以下のように作動し、炉７内に酸素不足領域と酸素過剰領域とを発生させる。
【００４０】
調節板駆動手段３９を作動させるべく制御スイッチ手段４１を操作すると、この制御スイッチ手段４１から当該調節板駆動手段３９のステッピングモータ５５に制御信号が供給される。この制御信号を受けたステッピングモータ５５は、出力軸５５ａを一方向に所定の回転数だけ回転させ、流量調節板３７をバーナスロート１１内に所定量だけ突出させる。したがって、その分だけバーナスロート１１の通路面積が減少し、その開口比に応じて蓄熱体９を経て供給される燃焼用空気の分配量が変化する。ここで、燃料ノズル１３からは、燃焼用空気の流量とは無関係に全体の燃焼用空気量に応じた一定量の燃料が等分に分配されて噴射される。流量調節板３７のバーナスロート１１内への突出量は、ステッピングモータ５５の回転数を制御することで、任意の値に設定できる。したがって、空気比は、制御スイッチ手段４１の操作でバーナスロート毎に任意に調整される。このため、バーナスロート１１毎に、酸素不足の状態で燃焼して無酸化性雰囲気を形成したり、また酸素過剰状態で燃焼して弱酸化性雰囲気あいるは酸化性雰囲気を形成する。
【００４１】
次に、作業者が炉７内の被加熱物５７の種類及び位置等に応じて炉内雰囲気を制御する場合を説明する。例えば、炉７内の中央に置かれた被加熱物例えば鉄鋼５７を加熱する場合について説明する。この場合には、酸素不足の無酸化雰囲気で鉄鋼５７を包むことがその酸化を抑制する上で好ましい。
【００４２】
そこで、作業者が制御スイッチ手段４１を操作して、鉄鋼５７に対向するバーナスロート１１、即ち３本のうちの中央に位置するバーナスロート１１の流量調節板３７を突出させて、このバーナスロート１１内に分配される燃焼用空気を減少させ、その分を両隣りの他のバーナスロート１１，１１へ流す。これにより、中央のバーナスロート１１から噴出される火炎及び燃焼ガスによって形成される雰囲気Ｚ４は酸素不足状態となり、鉄鋼５７を無酸化性雰囲気の中で加熱し、その酸化を抑制する。一方、外側の残りの２本のバーナスロート１１から噴出される火炎及び燃焼ガスによって形成される雰囲気Ｚ５，Ｚ６は、それぞれ酸素過剰状態となる。このため、各燃焼は適正空気比の場合より火炎温度が低くなる濃淡燃焼となりＮＯｘの発生が抑制される。
【００４３】
ここで、上述したように、バーナ３全体として供給される燃焼用空気量と燃料量とは、適正空気比に設定されている。したがって、無酸化性雰囲気Ｚ４と酸化性雰囲気Ｚ５，Ｚ６とが混じわる領域Ｚ７において無酸化性雰囲気Ｚ４の燃焼ガス中に残る未燃燃料が無酸化性雰囲気Ｚ４の周りで接触する酸化性雰囲気中の残存酸素と反応してアフターバーニング起こし完全燃焼する。そして、被加熱物５７の周りの雰囲気を乱さずに、完全燃焼の際の燃焼熱がふく射によって被加熱物たる鉄鋼５７へ与えられる。即ち、バーナ３全体で考えると炉７内では濃淡燃焼が実施され、上述の各燃焼は比較的低温で進行するので、特にサーマルＮＯｘの発生が抑制される。
【００４４】
また、被加熱物５７として、例えばタイルを焼く場合について説明する。この場合には、酸素過剰の雰囲気中でタイル５７を焼き、その発色を良好なものにすることが望まれる。
【００４５】
この場合には、被加熱物たるタイル５７に対向していない外側の２本のバーナスロート１１の流量調節板３７を突出させてそのバーナスロート１１内に分配される燃焼用空気量を減少させると共に中央のバーナスロート１１に流れる燃焼用空気量を増加させる。これにより、外側の２本のバーナスロート１１から噴出される火炎及び燃焼ガスによって形成される雰囲気Ｚ５，Ｚ６は酸素不足状態になる一方、タイル５７に対向する中央のバーナスロート１１から噴出される火炎及び燃焼ガスによって形成される雰囲気Ｚ４は酸素過剰状態になる。したがって、タイル５７は、酸化性雰囲気中で焼かれることになる。
【００４６】
この場合でも、上述の場合と同様に、バーナ３全体として供給される燃焼用空気量と燃料量とは適正空気比に設定されており、炉７内では濃淡燃焼によって完全燃焼が実施される。したがって、炉７内の酸素不足状態の領域と酸素過剰状態の領域の位置を変えた場合でも、上述の場合と同様に、燃料は完全燃焼し特にサーマルＮＯｘの発生が抑制される。
【００４７】
尚、各バーナスロート１１，１１，１１毎に空気比を異ならせる手段としては、各々分配される燃焼用空気の流量は変化させずに一定として、各バーナスロート１１内に噴射する燃料量を増減させることで相対的に空気比を制御する手段を採用するようにしても良い。この場合、バーナスロート１１の外の燃料供給系の制御だけで足りるのでのバーナ構造が簡単になる。図３は、このタイプの空気比制御機構を示す。この空気比制御機構では、各バーナスロート１１に分配される燃焼用空気の量は、常に一定値に設定され、各燃料ノズル１３からバーナスロート１１内に噴射される燃料量のみが制御される。この空気比制御機構は、流量制御弁６３及び制御スイッチ手段４１等より構成されている。流量制御弁６３は、例えば各燃料ノズル１３毎に、燃料ノズル１３と制御弁３３との間にそれぞれ設置されている。各流量制御弁６３は、制御スイッチ手段４１から供給される制御信号に応じてその弁開度を変化させる電磁式制御弁の使用が好ましい。なお、この電磁式制御弁は公知のものであるので、その構造についての説明は省略する。
【００４８】
したがって、燃焼用空気量に対する燃料量の割合が相対的に大きくあるいは小さくなることによって空気比が変えられる。
【００４９】
なお、空気過剰状態には、流量制御弁６３を完全に閉じてバーナスロート１１に燃焼用空気のみが流れるようにする場合も含まれる。この場合には、燃料は他のバーナスロート１１，１１に分けて噴射され、全体として適正空気比となる燃料量が供給される。この場合、燃焼用空気だけが流されるバーナスロート内では燃焼は起こらず、炉内に噴出された後に炉内で未燃の燃料と接触して燃焼する。燃焼用空気は蓄熱体９を経て排ガス温度に近い高温例えば７００〜１０００℃程度となっているため、接触と同時に燃料を緩慢燃焼させる。
【００５０】
さらに、空気比制御機構としては、図４に示すように、操作スイッチ手段４１に電気的に接続された調節板駆動手段３９及び流量調節板３７と流量制御弁６３とを備え、バーナスロート１１内の燃焼用空気流量と噴射燃料量とを同時に制御する構成にしても良い。この場合、各バーナスロート１１，１１，１１毎に正確な空気比を設定できる。
【００５１】
以上のように構成されたバーナシステム１は、四方弁２１及び各制御弁３３，３５を連動して切り替えることによって、図上例えば左側に配置されたＡバーナと右側に配置されたＢバーナとから成る１組のバーナ３，３が交互に焚かれて炉内に非定在火炎を形成する。
【００５２】
例えば、いま、Ａバーナを作動させる場合には、Ａバーナ側を燃焼用空気供給系に接続するように四方弁２１を切り替え、かつ一方の制御弁３３を開くと共に他方の制御弁３５を閉じる。これにより、供給される燃焼用空気は、蓄熱体９を通過しながら排ガス温度に近い高温例えば８００〜１０００℃程度に予熱された後、各バーナスロート１１，１１，１１内に流れ込み、各燃料ノズル１３，１３，１３から噴射された燃料と混合されて燃焼する。そして、各バーナスロート１１，１１，１１から噴出された火炎および燃焼ガスによって形成される各々性状の異なる３つの雰囲気を各領域Ｚ４〜Ｚ６に形成して被加熱物５７を特定雰囲気下、例えば無酸化雰囲気下で加熱する。
【００５３】
一方、排気系に接続されているＢバーナ側では、アフターバーニング領域Ｚ７で完全燃焼した燃焼ガスが、空気通路１５を介して大気側に排出される。このとき、被加熱物の加熱に使われた後の燃焼ガス（排ガス）の熱は蓄熱体９で回収される。
【００５４】
そして、Ａバーナ側が作動を開始してから所定時間（例えば、２０秒〜６０秒）が経過すると、四方弁１が切り替わると共に、これに連動して一方の制御弁３３が閉じて他方の制御弁３５が開く。これにより、Ｂバーナ側に燃焼用空気及び燃料が供給されて燃焼を開始する一方、Ａバーナが非作動の待機状態になる。このとき、Ｂバーナ側へ供給される燃焼用空気は、排ガスの廃熱で加熱された蓄熱体９で予熱され、非常に高温（例えば、８００〜１０００℃程度）になる。常温の燃焼用空気あるいは３００〜４００℃程度に予熱された燃焼用空気を使用する一般的な燃焼の場合には、空気不足あるいは空気過剰では燃焼し難い。しかしながら、燃焼用空気がこのように高温になると、たとえ空気不足あるいは空気過剰の場合でも混合ガスそのものの温度が燃料の着火温度付近あるいはそれ以上となって反応速度の増大や可燃限界の大幅な拡大が燃焼の安定化に大きく寄与して比較的良好に燃焼する。尚、Ｂバーナ側もＡバーナ側と同様に作動し、各バーナスロート１１，１１，１１毎に性状の異なる雰囲気を各領域Ｚ４〜Ｚ６に形成し、被加熱物５７を特定雰囲気下に加熱する。
【００５５】
以後、Ａバーナ及びＢバーナは所定時間毎に交互に作動し、バーナシステム１は非常に高温の燃焼用空気を用いて交互燃焼を繰り返す。
【００５６】
なお、本実施例においては、２基で一組のバーナ３，３を備えてこれらで交互燃焼を実施するバーナシステム１に適用した場合について説明したがこれに特に限定されず、例えば複数本のバーナスロートを有する一基のバーナと炉内排ガスを直接取り出す排気ダクトとを、例えば出口及び入り口における流体の流れ方向が一定で出入口の間において蓄熱体の異なる領域を流体が通過するようにした蓄熱体と流路切替手段例えば（国際公開ＷＯ９４／０２７８４号参照）とを利用してそれぞれ給気系と排気系とに接続し、常時バーナを燃焼させるシステムに適用しても良い。
【００５７】
次に、本発明を適用したバーナシステムの第２の実施例を図５に基づいて説明する。なお、上述のバーナシステム１の構成要素と同一の構成要素については同一の符号を付してこれらの詳細な説明を省略する。
【００５８】
このバーナシステム７１は、各バーナ７３，７３に２本ずつのバーナスロート７５，７５をそれぞれ備え、一方のバーナスロートから噴出される火炎では空気過剰燃焼を、他方のバーナスロートから噴出される火炎では空気不足燃焼を起こすように設けられている。各バーナスロート７５は、上下あるいは左右に並んで配置されている。各バーナスロート７５は蓄熱体９側から分岐しており、各バーナスロート７５の通路面積は互いに同一値に設定されている。
【００５９】
このバーナシステム７１の各バーナスロート７５，７５には空気比制御機構７７，７７が設けられている。空気比制御機構７７は、図６に示すように、一組の固定ないし可変オリフィス７７ａ，７７ｂより構成されている。各オリフィス７７ａ，７７ｂは、各バーナスロート７５内を流れる燃焼用空気の流量の割合を決定するもので、燃料ノズル１３よりも蓄熱体９側に配置されている。これらオリフィス７７ａ７７ｂは、一方のバーナスロート７５に流れる燃焼用空気の量を多くあるいは少なくするように開口が他方のバーナスロート７５に流れるそれよりも設定される。なお、燃焼用空気の配分比を固定する場合、あるいは空気不足ないし空気過剰とすべきバーナスロートを固定するにはオリフィスはいずれか一方に設ければ良い。
【００６０】
なお、各バーナ７３の蓄熱体９は、図１のバーナ３の場合と同様に、ダクト１５及び四方弁２１を介して単一の空気供給系及び排気系に接続されている。また、各バーナスロート７５に取り付けられた燃料ノズル１３は、各パイプ７９及び三方弁８１を介して図示しない燃料供給源に接続されている。三方弁８１の第１及び第２ポート８１ａ，８１ｂは、各パイプ７９，７９を介して燃料ノズル１３，１３に各々接続され、また、第３ポート８１ｃは、燃料供給源に接続されている。
【００６１】
このバーナシステム７１では、四方弁２１及び三方弁８１をそれぞれ切り替えることによって、一方のバーナ７３に燃焼用空気及び燃料を供給すると共に他方のバーナ７３を排気系に連結して排気手段として利用するようにしている。
【００６２】
空気供給系からいずれか一方のバーナ７３に供給される燃焼用空気は、蓄熱体９を通過しながら予熱されてから複数のバーナスロート７５に分配される。この燃焼用空気は、各オリフィス７７ａ，７７ｂに影響されて下側のバーナスロート７５よりも上側のバーナスロート７５に多く流れる。しかしながら、燃料供給源からは各燃料ノズル１３に同量の燃料が供給されている。したがって、被加熱物５７に近い下側のバーナスロート７５に供給される燃焼用空気を被加熱物５７から離れた上側のバーナスロート７５より少なくすると下側のバーナスロート７５の前方に広がる炉７内領域Ｚ１には無酸化性雰囲気が形成され、上側のバーナスロート７５前方に広がる炉７内領域Ｚ２には酸化性雰囲気が形成される。
【００６３】
各バーナスロート７５へは単一の空気供給系から燃焼用空気が供給されており、各オリフィス７７ａ，７７ｂよりも上流側（蓄熱体９側）での圧力は、互いに同一値である。したがって、燃焼用空気は、各バーナスロート７５，７５内を同一速度で流れる。このため、各バーナスローと７５，７５から噴出された領域Ｚ１の酸素不足状態の燃焼ガスと領域Ｚ２の酸素過剰状態の燃焼ガスとは、互いに略同様にして徐々に広がり、領域Ｚ３で接触してアフターバーニング（再燃焼）する。ここで、空気供給系が供給する燃焼用空気の全体量は、各燃料ノズル１３から噴射される燃料の全体量とは適正空気比となる量に設定されている。したがって、領域Ｚ３で再燃焼した燃焼ガスは、炉７内で完全燃焼し、作動停止中のバーナ７３のバーナスロート７５，７５を経て排気される。
【００６４】
本実施例のバーナシステム７１は、上述したバーナシステム１と同様に一組のバーナ７３を交互に燃焼させるので、その作動についての説明は省略する。
【００６５】
なお、本実施例の空気比制御機構７７においては、各バーナスロート７５内を流れる燃焼用空気量の割合を決定し、これによって各バーナスロート７５で発生する火炎の酸素状態を調整する構成としたが、この空気比制御機構としてはこれに限るものではなく、例えば、各バーナスロートと７５内の燃焼用空気の流速を一定に保ちながらその流量を変化させる構成のものでも良い。
【００６６】
図７は、この種の空気比制御機構８１の一例を示しており、２組のオリフィス８３ａ，８３ｂ、８５ａ，８５ｂの組み合わせによって構成されている。第１オリフィス８３ａ，８３ｂは、第２オリフィス８５ａ，８５ｂよりも上流側（蓄熱体９側）に配置されている。第１オリフィス８３に関し、下側のバーナスロート７５に設けられたオリフィス８３ａの通路面積Ｓ１は、上側のバーナスロート７５に設けられたオリフィス８３ｂの通路面積Ｓ２に比べて狭く（Ｓ１＜Ｓ２）設定され、また、第２オリフィス８５に関し、下側のバーナスロート７５に設けられたオリフィス８５ａの通路面積Ｓ３は、上側のバーナスロート７５に設けられたオリフィス８５ｂの通路面積Ｓ４に比べて広く（Ｓ３＞Ｓ４）設定されている。そして、これら第１のオリフィス８３ａ，８３ｂと第２のオリフィス８５ａ，８５ｂの開口面積の関係を、例えば下側のバーナスロート７５に関する各オリフィス８３ａ，８５ａの通路面積の各逆数の和が、上側のバーナスロート７５に関する各オリフィス８３ｂ，８５ｂの通路面積の各逆数の和に等しくなるように、即ち、関係式（１／Ｓ１）＋（１／Ｓ３）＝（１／Ｓ２）＋（１／Ｓ４）を満たすように設定することによって、各バーナスロート７５，７５に設定された空気比を変更せずに空気流速即ち各バーナスロート７５，７５からの噴出ガス速度比を変化させることができる。
【００６７】
これによって、上側のバーナスロート７５で発生する火炎は、下側のバーナスロート７５で発生する火炎に比べて勢い良く噴出し、下側のバーストロート７５から噴出する燃焼ガスが上側のバーナスロート７５から噴出する燃焼ガスの流れに吸引されて被加熱物５７の周りの領域Ｚ１の雰囲気を変えずにアフターバーニングゾーンＺ３を炉内で移動させ得る。
【００６８】
なお、本実施例においては、各オリフィス７７，８３，８５を固定タイプのオリフィスで構成したがこれに限るものではなく、従来公知の可変オリフィスで各オリフィス７７，８３，８５を構成しても良く、この場合には各バーナスロート７５内を流れる燃焼用空気の流速の割合を任意に調整できる。
【００６９】
また、図８に本発明の蓄熱型バーナシステムの他の実施例を示す。この実施例のバーナシステムは、各々独立した燃焼用空気供給系を有する複数のバーナ３Ａ１と３Ｂ１，３Ａ２と３Ｂ２によって複数のバーナスロート１１，１１，１１，１１が形成され、各バーナ３Ａ１と３Ａ２あるいは３Ｂ１と３Ｂ２に供給される燃焼用空気の総量と燃料の総量とが適正空気比となる範囲で各バーナ３Ａ１と３Ａ２あるいは３Ｂ１と３Ｂ２毎に異なる空気比とするようにしたものである。特に図示したものは、燃焼用空気のみを供給する場合を含めて空気過剰で燃焼させるバーナスロートと空気不足で燃焼させるバーナスロートとを各々設け、被加熱物５７の周りではいずれか一方の雰囲気を形成して更にその周りで全体として均一な空気比となったとき、即ち酸化性雰囲気ガスと無酸化性雰囲気ガスとが接触したときにアフターバーニングを起こし、そのふく射熱のみを被加熱物５７に与えるようにしている。この場合、被加熱物５７を特定の性状の雰囲気で覆ったままで、その雰囲気のまわりで起こさせた完全燃焼の熱をふく射で被加熱物に与えることによって加熱効率を落とさない。
【００７０】
また、各バーナスロート１１，１１，１１，１１から噴出される火炎及び燃焼ガスによって形成される雰囲気が炉内の被加熱物５７から離れた所で交差するように各バーナスロート１１，１１の噴射軸を交差させて設置し、被加熱物５７から離れた所でアフターバーニングゾーンＺ３を形成して完全燃焼させるようにしている。この場合、空気不足の燃焼によって形成された雰囲気例えばＺ１と空気過剰の燃焼によって形成された雰囲気例えばＺ２とが炉７内で確実に混じり合ってアフターバーニングを起こさせて完全燃焼し易くする。この実施例の場合、２組のバーナシステムは、互いに燃焼用空気供給系を独立させているが、炉７内で燃焼ガスが最終的に混合されて全体として適正空気比の完全燃焼を起こした後に各バーナシステムの対となるバーナのバーナスロートを経て分かれて排気されるため、各蓄熱体９，９にはほぼ同じ温度の排ガスが通過する。この実施例の場合、被加熱物５７の周りの雰囲気Ｚ１を乱さずに被加熱物５７を特定の雰囲気で完全に覆った状態で他方の雰囲気Ｚ２と確実に接触させるため、被加熱物５７寄りの下側のバーナスロート１１はほぼ水平にガスを噴出させ、上側のバーナスロート１１はやや下向きにガスを噴出するように傾けられて設置されている。また、この状態で図７で説明したように、上側のバーナスロート１１を流れる空気流速を制御することによって、アフターバーニングゾーンＺ３の炉内位置を移動させることができる。
【００７１】
次に、図９について説明する。図９は、本発明に係るバーナシステム７１を他のタイプの２組のバーナシステム９１と組み合わせて使用した例を示している。
【００７２】
各バーナシステム９１は、単一のバーナスロート９５を有するバーナ９３を一対備えており、これらを交互に作動させて燃焼させるリジェネレーティブバーナシステムである。各バーナシステム９１は上下に並んで配置され、これらには互いに同量の燃料が供給されている。そして、下側のバーナシステム９１に供給される燃焼用空気の量は、上側のバーナシステム９１に供給される燃焼用空気よりも少ない量に設定されている。したがって、下側のバーナシステム９１のバーナスロート９５で発生する火炎は酸素不足状態で燃焼し、前方空間を無酸化性雰囲気に設定する。また、上側のバーナシステム９１のバーナスロート９５は酸素過剰状態で燃焼し、前方空間を酸化性雰囲気に設定する。各バーナシステム９１に供給される燃焼用空気の全体量は、各バーナシステム９１に供給される燃料の全体量を燃焼させるのに適した量に設定されている。したがって、各バーナシステム９１は、濃淡燃焼を実施する。
【００７３】
即ち、２組のバーナシステム９１を組み合わせて使用することで、バーナシステム７１と同様の効果を得ることができる。バーナシステム７１と２組のバーナシステム９１とを組み合わせて使用することで、被加熱物５７の周りの空間の酸素状態を様々に調整することができる。
【００７４】
【発明の効果】
以上説明したように本発明の蓄熱型バーナシステムは、蓄熱体に排ガスと燃焼用空気とを交互に流して排ガス温度に近い高温の燃焼用空気を得、これを複数のバーナスロートに、全体としては適正空気比となり各バーナスロートごとには異なる空気比となるように供給して、全体として適正空気比下に完全燃焼するも、各バーナスロート毎に発生する火炎及び燃焼ガスによって形成される雰囲気は酸素不足あるいは酸素過剰状態となるようにしているので、完全燃焼を達成しながらも部分的に無酸化雰囲気あるいは酸化雰囲気若しくは弱酸化雰囲気を炉内に形成することができる。このため、被加熱物に適した雰囲気中でこの被加熱物を加熱することが可能になると同時に完全燃焼も達成される。したがって、例えば被加熱物の酸化等による品質低下の防止等を図ることができる。また、全体的な燃焼としてはいわゆる濃淡燃焼を実施することができ、ＮＯｘ発生の低減を図ることができる。
【００７５】
また、請求項６の発明によると、複数のバーナスロートに対し単一の空気供給系で足りるので、バーナ設備が簡単で据え付け場所を取らない。
【００７６】
また、請求項８記載のバーナ装置では、空気比制御手段は、各バーナスロート内を流れる燃焼用空気の量の割合を決定する。したがって、単一の空気供給源から各バーナスロートに流入する燃焼用空気の割合をコントロールすることで空気比を調整でき、即ち、燃料の量を一定に保持しながら空気比を調整し、上述の効果を得ることができる。
【００７７】
また、請求項９記載のバーナ装置では、空気比制御手段は、各バーナスロートの通路面積を互いに異なる値に設定して当該バーナスロート内を流れる燃焼用空気の量を制御する空気量増減手段を有している。したがって、バーナスロートの通路面積をコントロールすることで空気比を調整でき、即ち、燃料の量を一定に保持しながら空気比を調整し、上述の効果を得ることができる。
【００７８】
また、請求項１０記載のバーナ装置では、空気比制御手段は、各燃料噴射ノズルから噴射される燃料の量を互いに異なる値に設定することによって相対的に空気比を調整することができるので、バーナスロートの外の燃料供給系のコントロールだけで足り、バーナ構造が簡単になる。
【００７９】
また請求項１１の発明では、各バーナスロート毎に分配される燃焼用空気の量と燃料の量とを制御することによって、より安定な状態で所望の空気比の燃焼を実現できる。
【００８０】
また、請求項７の発明によると、各々空気供給系が独立しているので、雰囲気ごとの燃焼制御が容易である。
【００８１】
また、請求項２，３の発明では、被加熱物を無酸化雰囲気あるいは酸化雰囲気のいずれかで被うことができると共に、更に請求項５の発明ではその雰囲気のまわりで起こる完全燃焼による熱をふく射で受けるため加熱効率を落とさずに特定雰囲気下での加熱を実現できる。
【００８２】
また、請求項１２の発明によると、空気不足の燃焼によって形成された雰囲気と空気過剰の燃焼によって形成された雰囲気とが炉内で確実に混じり合ってアフターバーニングを起こさせる。したがって、蓄熱体で燃焼することがなく、蓄熱体を損傷させることがない。しかも、それは、被加熱物を覆う雰囲気の外あるいはその周辺で起こり、被加熱物の周りの雰囲気成分を変えることがない。
【００８３】
また、請求項１，４記載のバーナ装置では、空気比制御手段は各バーナスロート内の燃焼用空気の流速を調整可能である。このため、各バーナスロートの前方に設定される領域の広さをコントロールすることができ、炉内被加熱物の大きさ等に応じてその周りに設定される領域の広さを調整することができる。
【００８４】
更に、請求項１３の発明では、個々のバーナシステム毎に燃焼を制御すれば足りるので、燃焼制御が容易である。
【００８５】
また、請求項１４記載のバーナシステムでは、前記バーナ装置を対にして炉に配設し、各バーナ装置を交互に作動させて交換燃焼を実施する。したがって、熱効率の良いリジェネレーティブバーナシステムにおいても、炉内雰囲気の酸素濃度を部分的に調整でき、また、システム全体では濃淡燃焼を実施することになるので、ＮＯｘ発生の抑制を図ることができる。
【図面の簡単な説明】
【図１】本発明の蓄熱式バーナシステムの第１の実施例を示す概略構成図である。
【図２】図１のバーナシステムをに適用される空気比制御機構の詳細を示す図である。
【図３】本発明を適用したバーナシステムの空気比制御機構を示し、図１の空気比制御機構の他の実施例を示す概略構成図である。
【図４】本発明を適用したバーナシステムの空気比制御機構を示し、図３の空気比制御機構のさらに他の実施例を示す概略構成図である。
【図５】本発明を適用したバーナシステムの第２の実施例を示す概略構成図である。
【図６】図５のバーナシステムを構成する空気比制御機構を示す概略構成図である。
【図７】図６の空気比制御機構の他の実施例を示す概略構成図である。
【図８】本発明の蓄熱型バーナシステムの他の実施例を示す概略構成図である。
【図９】図５のバーナシステムを他のタイプのバーナシステムと組み合わせて使用する場合の例を示す斜視図である。
【図１０】従来のバーナシステムの概略構成図である。
【符号の説明】
１，７１  バーナシステム
３，７３  バーナ
５，７７，８１    空気比制御機構
７  炉
９  蓄熱体
１１，７５  バーナスロート
１３  燃料ノズル
１７  空気供給系
３７  流量調節板
３９  調節板駆動手段
４１  制御スイッチ手段
６３  流量制御弁
【図１】
0003611622.tif 000002
【図２】
0003611622.tif 000003
【図３】
0003611622.tif 000004
【図４】
0003611622.tif 000005
【図５】
0003611622.tif 000006
【図６】
0003611622.tif 000007
【図７】
0003611622.tif 000008
【図８】
0003611622.tif 000009
【図９】
0003611622.tif 000010
【図１０】
0003611622.tif 000011